(57)【要約】【課題】特定の周波数帯域のサージノイズを効果的に低減することが可能なノイズフィルタ付き導電路を提供する。【解決手段】ノイズフィルタ付き導電路Ａは、導電路本体（Ｕ相線１１ｕ、Ｖ相線１１ｖ、Ｗ相線１１ｗ）と、導電路本体１１ｕ，１１ｖ，１１ｗを包囲する絶縁層（Ｕ相用絶縁被覆１２ｕ、Ｖ相用絶縁被覆１２ｖ、Ｗ相用絶縁被覆１２ｗ）と、絶縁層１２ｕ，１２ｖ，１２ｗを挟んで導電路本体（Ｕ相線１１ｕ、Ｖ相線１１ｖ、Ｗ相線１１ｗ）と対応するように設けられ、導電路本体１１ｕ，１１ｖ，１１ｗとの間にコンデンサ（Ｕ相用コンデンサ１７ｕ、Ｖ相用コンデンサ１７ｖ、Ｗ相用コンデンサ１７ｗ）を形成する導体層（Ｕ相用導体層１６ｕ、Ｖ相用導体層１６ｖ、Ｗ相用導体層１６ｗ）と、導体層１６ｕ，１６ｖ，１６ｗに接続した抵抗素子１８ｕ，１８ｖ，１８ｗ（抵抗）とを備えている。【選択図】図１
2017069601.tif 000002
【特許請求の範囲】
【請求項１】
導電路本体と、
前記導電路本体を包囲する絶縁層と、
前記絶縁層を挟んで前記導電路本体と対応するように設けられ、前記導電路本体との間にコンデンサを形成する導体層と、
前記導体層に接続した抵抗とを備えていることを特徴とするノイズフィルタ付き導電路。
【請求項２】
２本の前記導電路本体が並行して設けられ、
前記２本の導電路本体と個別に対応する２つの前記導体層が、前記抵抗を介して接続され、
前記導体層の接続対象が前記抵抗のみであり、
前記抵抗の接続対象が、前記導体層又は他の前記抵抗のいずれかのみであることを特徴とする請求項１記載のノイズフィルタ付き導電路。
【請求項３】
三相交流回路を構成する第１の前記導電路本体と、
前記第１の導電路本体とともに前記三相交流回路を構成する第２の前記導電路本体と、
前記第１の導電路本体及び前記第２の導電路本体とともに前記三相交流回路を構成する第３の前記導電路本体と、
前記第１の導電路本体と対応する第１の前記導体層と、
前記第２の導電路本体と対応する第２の前記導体層と、
前記第３の導電路本体と対応する第３の前記導体層とを備えており、
前記第１の導体層と前記第２の導体層と前記第３の導体層の相互間が、夫々、前記抵抗を介して接続され、
前記第１の導体層と前記第２の導体層と前記第３の導体層の接続対象が、前記抵抗のみであり、
前記抵抗の接続対象が、前記第１の導体層と前記第２の導体層と前記第３の導体層と他の前記抵抗のうちのいずれかのみであることを特徴とする請求項２記載のノイズフィルタ付き導電路。
【請求項４】
複数本の前記導電路本体と複数の前記導体層が、筒状のシールド層により一括して包囲され、
前記抵抗が、前記シールド層で包囲されたシールド空間内に配されていることを特徴とする請求項１ないし請求項３のいずれか１項記載のノイズフィルタ付き導電路。
【発明の詳細な説明】
【技術分野】
【０００１】
本発明は、ノイズフィルタ付き導電路に関するものである。
【背景技術】
【０００２】
特許文献１には、電動車両のモータとインバータ装置との間に三相交流電線からなるワイヤーハーネスを配索し、そのワイヤーハーネスにおけるノイズ対策として、ワイヤーハーネスを編組線で包囲し、編組線の両端をモータのシールドケースとインバータ装置のシールドケースとに接続する技術が記載されている。このように、ワイヤーハーネスを編組線でシールドすれば、モータ、インバータ装置、ワイヤーハーネスから放出されるノイズが、周辺の機器や回路に影響を及ぼすことを防止できる。
【先行技術文献】
【特許文献】
【０００３】
【特許文献１】特開２０１０−１２６０４３号公報
【発明の概要】
【発明が解決しようとする課題】
【０００４】
しかし、ワイヤーハーネスを編組線で包囲する方法では、インバータ装置で発生した特定周波数帯域のサージノイズを効果的に低減することは難しい。
本発明は上記のような事情に基づいて完成されたものであって、特定の周波数帯域のサージノイズを効果的に低減することが可能なノイズフィルタ付き導電路を提供することを目的とする。
【課題を解決するための手段】
【０００５】
本発明は、
導電路本体と、
前記導電路本体を包囲する絶縁層と、
前記絶縁層を挟んで前記導電路本体と対応するように設けられ、前記導電路本体との間にコンデンサを形成する導体層と、
前記導体層に接続した抵抗とを備えているところに特徴を有する。
【発明の効果】
【０００６】
導体層の長さ、導体層と導電路本体との対応面積、導体層と導電路本体との距離、絶縁層の材質等を変えることによってコンデンサの静電容量を設定し、抵抗の抵抗値を設定すれば、ＲＣ共振によって特定の周波数帯域のサージノイズを効果的に低減することができる。
【図面の簡単な説明】
【０００７】
【図１】実施例１のノイズフィルタ付き導電路の構成図
【図２】図１のＸ−Ｘ線断面図
【図３】実施例２のノイズフィルタ付き導電路の構成図
【図４】実施例３のノイズフィルタ付き導電路の構成図
【図５】実施例４のノイズフィルタ付き導電路の構成図
【図６】実施例５の抵抗の部分拡大構成図
【図７】実施例６の抵抗の部分拡大構成図
【図８】実施例７の抵抗の部分拡大構成図
【図９】実施例８の抵抗の部分拡大構成図
【図１０】実施例９の抵抗の部分拡大構成図
【発明を実施するための形態】
【０００８】
（ａ）本発明は、２本の前記導電路本体が並行して設けられ、前記２本の導電路本体と個別に対応する２つの前記導体層が、前記抵抗を介して接続され、前記導体層の接続対象が前記抵抗のみであり、前記抵抗の接続対象が前記導体層又は他の前記抵抗のみであってもよい。
この構成によれば、一方の導電路本体のサージ電流をコンデンサと抵抗により減衰させて他方の導体層へ逃がすことができるので、導体層や抵抗をモータケース等の筐体アースへ接続した場合に懸念されるコモンモードノイズを低減することが可能である。
【０００９】
（ｂ）本発明は、（ａ）において、三相交流回路を構成する第１の前記導電路本体と、前記第１の導電路本体とともに前記三相交流回路を構成する第２の前記導電路本体と、前記第１の導電路本体及び前記第２の導電路本体とともに前記三相交流回路を構成する第３の前記導電路本体と、前記第１の導電路本体と対応する第１の前記導体層と、前記第２の導電路本体と対応する第２の前記導体層と、前記第３の導電路本体と対応する第３の前記導体層とを備えており、前記第１の導体層と前記第２の導体層と前記第３の導体層の相互間が、夫々、前記抵抗を介して接続され、前記第１の導体層と前記第２の導体層と前記第３の導体層の接続対象が、前記抵抗のみであり、前記抵抗の接続対象が、前記第１の導体層と前記第２の導体層と前記第３の導体層と他の前記抵抗のうちのいずれかのみであってもよい。
【００１０】
この構成によれば、各導電路本体のサージ電流をコンデンサと抵抗により減衰させて他の導体層へ逃がすことができるので、導体層や抵抗をモータケース等の筐体アースへ接続した場合に懸念されるコモンモードノイズを低減することが可能である。
【００１１】
（ｃ）本発明は、複数本の前記導電路本体と複数の前記導体層が、筒状のシールド層により一括して包囲されていてもよい。
この構成によれば、導電路本体をシールド層で包囲したので、サージノイズが周辺の機器や回路へ影響を及ぼすことも防止できる。
【００１２】
（ｄ）本発明は、（ｃ）において、前記抵抗が、前記シールド層で包囲されたシールド空間内に配されていてもよい。
この構成によれば、シールド層の外部に抵抗を設ける場合に比べると、小型化を図ることができる。
【００１３】
＜実施例１＞
以下、本発明を具体化した実施例１を図１〜図２を参照して説明する。本実施例１のノイズフィルタ付き導電路Ａは、電気自動車又はハイブリッド自動車等の電動車両（図示省略）に搭載されたモータ３０とインバータ装置３４との間に配索されるものである。この電動車両において、モータ３０の筐体であるモータケース３１と、インバータ装置３４の筐体であるインバータケース３５と、両ケース３１，３５を接続するシールド層２２は、筐体アース４０を構成している。ノイズフィルタ付き導電路Ａは、三相交流回路１０を構成するＵ相線１１ｕ（請求項に記載の第１の導電路本体）、Ｖ相線１１ｖ（請求項に記載の第２の導電路本体）、Ｗ相線１１ｗ（請求項に記載の第３の導電路本体）と、サージ低減用フィルタ１５と、シールド層２２とを備えて構成されている。
【００１４】
Ｕ相線１１ｕ、Ｖ相線１１ｖ及びＷ相線１１ｗは、いずれも、金属（銅、銅合金、アルミニウム、アルミニウム合金等）製の撚り線や単芯線からなる。Ｕ相線１１ｕの外周は、合成樹脂製のＵ相用絶縁被覆１２ｕ（請求項に記載の絶縁層）によって包囲されている。Ｖ相線１１ｖの外周は、合成樹脂製のＶ相用絶縁被覆１２ｖ（請求項に記載の絶縁層）によって包囲されている。Ｗ相線１１ｗの外周は、合成樹脂製のＷ相用絶縁被覆１２ｗ（請求項に記載の絶縁層）によって包囲されている。つまり、Ｕ相線１１ｕとＵ相用絶縁被覆１２ｕは１本の被覆電線を構成する。Ｖ相線１１ｖとＶ相用絶縁被覆１２ｖは１本の被覆電線を構成する。Ｗ相線１１ｗとＷ相用絶縁被覆１２ｗは１本の被覆電線を構成する。
【００１５】
Ｕ相線１１ｕ、Ｖ相線１１ｖ及びＷ相線１１ｗは、並行するように配索されている。Ｕ相線１１ｕ、Ｖ相線１１ｖ及びＷ相線１１ｗの一方の端部は、インバータ装置３４のインバータ回路（図示省略）に接続されている。インバータ回路は、シールド機能を有する導電性のインバータケース３５の内部に収容されている。Ｕ相線１１ｕ、Ｖ相線１１ｖ及びＷ相線１１ｗの他方の端部は、モータ３０の巻線に接続されている。巻線は、シールド機能を有する導電性のモータケース３１の内部に収容されている。
【００１６】
サージ低減用フィルタ１５は、筒状のＵ相用導体層１６ｕ（請求項に記載の第１の導体層）と、筒状のＶ相用導体層１６ｖと、筒状のＷ相用導体層１６ｗを備えて構成されている。Ｕ相用導体層１６ｕとＶ相用導体層１６ｖとＷ相用導体層１６ｗは、いずれも、金属（銅、銅合金、アルミニウム、アルミニウム合金等）製であり、筐体アース４０とは直接的に接続されていない。また、Ｕ相用導体層１６ｕとＶ相用導体層１６ｖとＷ相用導体層１６ｗの外周は、絶縁性のコーティングや絶縁性の被覆等で覆われている。
【００１７】
Ｕ相用導体層１６ｕは、Ｕ相線１１ｕとＵ相用絶縁被覆１２ｕを近接した状態で包囲している。換言すると、Ｕ相用導体層１６ｕは、Ｕ相用絶縁被覆１２ｕを挟んでＵ相線１１ｕと近接して対向する位置関係となっている。したがって、Ｕ相線１１ｕとＵ相用絶縁被覆１２ｕとＵ相用導体層１６ｕによってＵ相用コンデンサ１７ｕ（請求項に記載のコンデンサ）が構成され、Ｕ相線１１ｕとＵ相用導体層１６ｕは電極として機能する。
【００１８】
また、Ｖ相用導体層１６ｖは、Ｖ相線１１ｖとＶ相用絶縁被覆１２ｖを近接した状態で包囲している。換言すると、Ｖ相用導体層１６ｖは、Ｖ相用絶縁被覆１２ｖを挟んでＶ相線１１ｖと近接して対向する位置関係となっている。したがって、Ｖ相線１１ｖとＶ相用絶縁被覆１２ｖとＶ相用導体層１６ｖによってＶ相用コンデンサ１７ｖ（請求項に記載のコンデンサ）が構成され、Ｖ相線１１ｖとＶ相用導体層１６ｖは電極として機能する。
【００１９】
同様に、Ｗ相用導体層１６ｗも、Ｗ相線１１ｖとＷ相用絶縁被覆１２ｗを近接した状態で包囲している。換言すると、Ｗ相用導体層１６ｗは、Ｗ相用絶縁被覆１２ｗを挟んでＷ相線１１ｗと近接して対向する位置関係となっている。したがって、Ｗ相線１１ｗとＷ相用絶縁被覆１２ｗとＷ相用導体層１６ｗによってＷ相用コンデンサ１７ｗ（請求項に記載のコンデンサ）が構成され、Ｗ相線１１ｗとＷ相用導体層１６ｗは電極として機能する。
【００２０】
Ｕ相用導体層１６ｕとＶ相用導体層１６ｖとＷ相用導体層１６ｗは、筐体接続線１９（抵抗素子１８ｕ，１８ｖ，１８ｗ）を介してモータケース３１に接続されている。筐体接続線１９は、１本の共用接続線２０と、共用接続線２０の一方の端部から分岐してＵ相用導体層１６ｕとＶ相用導体層１６ｖとＷ相用導体層１６ｗに個別に接続される３本の結線用分岐線２１ｕ，２１ｖ，２１ｗとから構成されている。
【００２１】
サージ低減用フィルタ１５は、３つの抵抗素子１８ｕ，１８ｖ，１８ｗ（請求項に記載の抵抗）を備えている。これらの抵抗素子１８ｕ，１８ｖ，１８ｗは、電子部品としての機能するものである。抵抗素子１８ｕ，１８ｖ，１８ｗの抵抗値は、導体層１６ｕ，１６ｖ，１６ｗ、及び筐体接続線１９（共用接続線２０と結線用分岐線２１ｕ，２１ｖ，２１ｗ）よりも大きい値に設定されている。これらの抵抗素子１８ｕ，１８ｖ，１８ｗは、各結線用分岐線２１ｕ，２１ｖ，２１ｗの途中に接続されている。即ち、抵抗素子１８ｕ，１８ｖ，１８ｗの両端が結線用分岐線２１ｕ，２１ｖ，２１ｗに直列に接続されている。３つの抵抗素子１８ｕ，１８ｖ，１８ｗは、結線用分岐線２１ｕ，２１ｖ，２１ｗによってスター結線され、共用接続線２０を介してモータケース３１（筐体アース４０）に接続されている。
【００２２】
シールド層２２は、例えば、編組線等からなる金属製の筒状部材である。シールド層２２の一方の端部は、モータ３０の近傍に位置し、モータケース３１に導通可能に接続されている。シールド層２２の他方の端部は、インバータ装置３４の近傍に位置し、インバータケース３５に導通可能に接続されている。そして、シールド層２２で包囲された空間は、シールド空間２３となっている。シールド層２２は、Ｕ相線１１ｕ、Ｖ相線１１ｖ、Ｗ相線１１ｗ、Ｕ相用導体層１６ｕ、Ｖ相用導体層１６ｖ及びＷ相用導体層１６ｗを、一括して包囲する。つまり、シールド空間２３内には、Ｕ相線１１ｕ、Ｖ相線１１ｖ、Ｗ相線１１ｗと、Ｕ相用導体層１６ｕ、Ｖ相用導体層１６ｖ及びＷ相用導体層１６ｗ（つまり、３つのコンデンサ１７ｕ，１７ｖ，１７ｗ）が収容されている。また、３つの抵抗素子１８ｕ，１８ｖ，１８ｗも、シールド空間２３内に収容されている。
【００２３】
次に、本実施例の作用を説明する。インバータ装置３４で発生するサージ電圧の周波数を特定したら、導体層１６ｕ，１６ｖ，１６ｗの長さ、導体層１６ｕ，１６ｖ，１６ｗと導電路本体（Ｕ相線１１ｕ、Ｖ相線１１ｖ、Ｗ相線１１ｗ）との対応面積、導体層１６ｕ，１６ｖ，１６ｗと導電路本体（Ｕ相線１１ｕ、Ｖ相線１１ｖ、Ｗ相線１１ｗ）との距離、Ｕ相用絶縁被覆１２ｕ、Ｖ相用絶縁被覆１２ｖ、Ｗ相用絶縁被覆１２ｗの材質等を適宜選択し、特定した周波数のサージノイズを低減するのに好適なコンデンサ１７ｕ，１７ｖ，１７ｗの静電容量を設定する。
【００２４】
また、抵抗素子１８ｕ，１８ｖ，１８ｗについても、特定した周波数のサージノイズを低減するのに好適な抵抗値を有するものを選択する。このようにコンデンサ１７ｕ，１７ｖ，１７ｗと抵抗素子１８ｕ，１８ｖ，１８ｗを選定すると、特定の周波数のサージ電流が、抵抗素子１８ｕ，１８ｖ，１８ｗと筐体接続線１９を経てモータケース３１に流れ、更にシールド層２２を介してインバータ装置３４に戻るためサージノイズが低減される。また、導電路本体（Ｕ相線１１ｕ、Ｖ相線１１ｖ、Ｗ相線１１ｗ）は、シールド層２２によって一括して包囲されている。また、モータケース３１とインバータケース３５は、シールド層２２によって接続されている。尚、モータケース３１とインバータケース３５を接続する導通手段は、シールド層２２に限らず、撚り線、単芯線、車両ボディ等であってもよい。
【００２５】
本実施例１のノイズフィルタ付き導電路Ａは、導電路本体（Ｕ相線１１ｕ、Ｖ相線１１ｖ及びＷ相線１１ｗ）と、これらの導電路本体を個別に包囲する絶縁層（Ｕ相用絶縁被覆１２ｕ、Ｖ相用絶縁被覆１２ｖ及びＷ相用絶縁被覆１２ｗ）と、これらの絶縁層１２ｕ，１２ｖ，１２ｗを挟んで導電路本体（Ｕ相線１１ｕ、Ｖ相線１１ｖ及びＷ相線１１ｗ）と対応するように設けられ、導電路本体１１ｕ，１１ｖ，１１ｗとの間にコンデンサ（Ｕ相用コンデンサ１７ｕ、Ｖ相用コンデンサ１７ｖ及びＷ相用コンデンサ１７ｗ）を形成する導体層（Ｕ相用導体層１６ｕ、Ｖ相用導体層１６ｖ及びＷ相用導体層１６ｗ）と、これらの導体層１６ｕ，１６ｖ，１６ｗに接続した抵抗素子１８ｕ，１８ｖ，１８ｗとを備えている。
【００２６】
そして、導体層１６ｕ，１６ｖ，１６ｗの長さ、導体層１６ｕ，１６ｖ，１６ｗと導電路本体（Ｕ相線１１ｕ、Ｖ相線１１ｖ、Ｗ相線１１ｗ）との対応面積、導体層１６ｕ，１６ｖ，１６ｗと導電路本体（Ｕ相線１１ｕ、Ｖ相線１１ｖ、Ｗ相線１１ｗ）との距離、Ｕ相用絶縁被覆１２ｕ、Ｖ相用絶縁被覆１２ｖ、Ｗ相用絶縁被覆１２ｗの材質等を適宜選択することにより、コンデンサ１７ｕ，１７ｖ，１７ｗの静電容量を設定し、抵抗素子１８ｕ，１８ｖ，１８ｗの抵抗値を設定すれば、ＲＣ共振によって特定の周波数帯域のサージノイズを効果的に低減することができる。
【００２７】
また、３本の導電路本体１１ｕ，１１ｖ，１１ｗと３つの導体層１６ｕ，１６ｖ，１６ｗが筒状のシールド層２２により一括して包囲され、抵抗素子１８ｕ，１８ｖ，１８ｗが、シールド層２２の内部のデッドスペースであるシールド空間２３内に配されているので、シールド層２２の外部に抵抗素子１８ｕ，１８ｖ，１８ｗを設ける場合に比べると、小型化を図ることができる。
【００２８】
＜実施例２＞
次に、本発明を具体化した実施例２を図３を参照して説明する。本実施例２のノイズフィルタ付き導電路Ｂは、３つの抵抗素子１８ｕｖ，１８ｖｗ，１８ｗｕ（請求項に記載の抵抗）の接続の仕方を上記実施例１とは異なる構成としたものである。その他の構成については上記実施例１と同じであるため、同じ構成については、同一符号を付し、構造、作用及び効果の説明は省略する。
【００２９】
上記実施例１では、Ｕ相用導体層１６ｕ、Ｖ相用導体層１６ｖ及びＷ相用導体層１６ｗをアースするための筐体接続線１９を設け、この筐体接続線１９の３本の結線用分岐線２１ｕ，２１ｖ，２１ｗに、夫々、抵抗素子１８ｕ，１８ｖ，１８ｗを設けた。これに対し本実施例２では、筐体接続線１９を設けず、Ｕ相用導体層１６ｕとＶ相用導体層１６ｖとを抵抗素子１８ｕｖを介して接続し、Ｖ相用導体層１６ｖとＷ相用導体層１６ｗを抵抗素子１８ｖｗを介して接続し、Ｗ相用導体層１６ｗとＵ相用導体層１６ｕを抵抗素子１８ｗｕを介して接続している。つまり、３つの抵抗素子１８ｕｖ，１８ｖｗ，１８ｗｕは、３本の結線用接続線２４を介してデルタ結線されている。
【００３０】
また、抵抗素子１８ｕｖ，１８ｖｗ，１８ｗｕは、夫々、導体層用接続線２５ｕ，２５ｖ，２５ｗを介してＵ相用導体層１６ｕ、Ｖ相用導体層１６ｖ及びＷ相用導体層１６ｗに接続されている。しかし、Ｕ相線１１ｕ、Ｖ相線１１ｖ及びＷ相線１１ｗにおけるモータ３０側の端部では、３つの導体層１６ｕ，１６ｖ，１６ｗも３つの抵抗素子１８ｕｖ，１８ｖｗ，１８ｗｕも３本の結線用接続線２４も、筐体アース４０には接続されていない。
【００３１】
本実施例２のノイズフィルタ付き導電路Ｂは、少なくとも２本の導電路本体１１ｕ，１１ｖ，１１ｗが並行して設けられ、少なくとも２本の導電路本体１１ｕ，１１ｖ，１１ｗを個別に包囲する少なくとも２つの導体層１６ｕ，１６ｖ，１６ｗが、抵抗素子１８ｕｖ，１８ｖｗ，１８ｗｕを介して接続されている。また、導体層１６ｕ，１６ｖ，１６ｗの接続対象は抵抗素子１８ｕｖ，１８ｖｗ，１８ｗｕのみであり、抵抗素子１８ｕｖ，１８ｖｗ，１８ｗｕの接続対象は、導体層１６ｕ，１６ｖ，１６ｗと他の抵抗素子１８ｕｖ，１８ｖｗ，１８ｗｕのみである。この構成によれば、各相線１６ｕ，１６ｖ，１６ｗのサージ電流を各相用コンデンサ１７ｕ，１７ｖ，１７ｗと抵抗素子１８ｕｖ，１８ｖｗ，１８ｗｕにより減衰させて他の導体層１６ｕ，１６ｖ，１６ｗへ逃がすことができるので、導体層１６ｕ，１６ｖ，１６ｗをモータケース３１等に接続した場合に懸念されるコモンモードノイズを低減することが可能である。
【００３２】
また、ノイズフィルタ付き導電路Ｂは、三相交流回路１０を構成するＵ相線１１ｕと、Ｕ相線１１ｕとともに三相交流回路１０を構成するＶ相線１１ｖと、Ｕ相線１１ｕ及びＶ相線１１ｖとともに三相交流回路１０を構成するＷ相線１１ｗと、Ｕ相線１１ｕを包囲するＵ相用導体層１６ｕと、Ｖ相線１１ｖを包囲するＶ相用導体層１６ｖと、Ｗ相線１１ｗを包囲するＷ相用導体層１６ｗとを備えており、Ｕ相用導体層１６ｕとＶ相用導体層１６ｖとＷ相用導体層１６ｗの相互間が、夫々、抵抗素子１８ｕｖ，１８ｖｗ，１８ｗｕを介して接続されている。
【００３３】
そして、３つの導体層１６ｕ，１６ｖ，１６ｗと３つの抵抗素子１８ｕｖ，１８ｖｗ，１８ｗｕとの間における接続関係は、次の通りである。即ち、３つの導体層１６ｕ，１６ｖ，１６ｗの接続対象は抵抗素子１８ｕｖ，１８ｖｗ，１８ｗｕのみであり、換言すると、導体層１６ｕ，１６ｖ，１６ｗ同士の間には、抵抗素子１８ｕｖ，１８ｖｗ，１８ｗｕが介在している。また、抵抗素子１８ｕｖ，１８ｖｗ，１８ｗｕの接続対象は、Ｕ相用導体層１６ｕとＶ相用導体層１６ｖとＷ相用導体層１６ｗと抵抗素子１８ｕｖ，１８ｖｗ，１８ｗｕのうちいずれかのみである。
【００３４】
この構成によれば、各相線１６ｕ，１６ｖ，１６ｗのサージ電流を各相用コンデンサ１７ｕ，１７ｖ，１７ｗと抵抗素子１８ｕｖ，１８ｖｗ，１８ｗｕにより減衰させて他の導体層１６ｕ，１６ｖ，１６ｗへ逃がすことができる。したがって、導体層１６ｕ，１６ｖ，１６ｗや抵抗素子１８ｕｖ，１８ｖｗ，１８ｗｕをモータケース３１等に接続した場合に懸念されるコモンモードノイズを低減することが可能である。
【００３５】
＜実施例３＞
次に、本発明を具体化した実施例３を図４を参照して説明する。本実施例３のノイズフィルタ付き導電路Ｃは、サージ低減用フィルタ３６を上記実施例１とは異なる構成としたものである。その他の構成については上記実施例１と同じであるため、同じ構成については、同一符号を付し、構造、作用及び効果の説明は省略する。
【００３６】
本実施例３のサージ低減用フィルタ３６では、Ｕ相用導体層１６ｕとＶ相用導体層１６ｖとＷ相用導体層１６ｗを、夫々、モータ３０側とインバータ装置３４側に分けて２本ずつ設けている。モータ３０側のＵ相用導体層１６ｕとＶ相用導体層１６ｖとＷ相用導体層１６ｗと、インバータ装置３４側のＵ相用導体層１６ｕとＶ相用導体層１６ｖとＷ相用導体層１６ｗは、直接的に接続されてはいない。そして、Ｕ相線１１ｕとＶ相線１１ｖとＷ相線１１ｗには、夫々、Ｕ相用コンデンサ１７ｕとＶ相用コンデンサ１７ｖとＷ相用コンデンサ１７ｗがモータ３０側とインバータ装置３４側に分かれて２つずつ設けられている。
【００３７】
さらに、本実施例３のサージ低減用フィルタ３６は、モータ３０側のＵ相用導体層１６ｕとＶ相用導体層１６ｖとＷ相用導体層１６ｗに個別に接続された３つの抵抗素子１８ｕｖ，１８ｖｗ，１８ｗｕと、インバータ装置３４側のＵ相用導体層１６ｕとＶ相用導体層１６ｖとＷ相用導体層１６ｗに個別に接続された３つの抵抗素子１８ｕｖ，１８ｖｗ，１８ｗｕを備えている。モータ３０側の３つの抵抗素子１８ｕｖ，１８ｖｗ，１８ｗｕは、実施例１と同じく筐体接続線１９を介してスター結線された状態で筐体アース４０（モータケース３１）に接続されている。そして、インバータ装置３４側の３つの抵抗素子１８ｕｖ，１８ｖｗ，１８ｗｕも、筐体接続線１９を介してスター結線された状態で筐体アース４０（インバータケース３５）に接続されている。
【００３８】
＜実施例４＞
次に、本発明を具体化した実施例４を図５を参照して説明する。本実施例４のノイズフィルタ付き導電路Ｄは、サージ低減用フィルタ３７を上記実施例１とは異なる構成としたものである。その他の構成については上記実施例１と同じであるため、同じ構成については、同一符号を付し、構造、作用及び効果の説明は省略する。
【００３９】
本実施例４のサージ低減フィルタ３７では、Ｕ相用導体層１６ｕとＶ相用導体層１６ｖとＷ相用導体層１６ｗに、３本の結線用接続線２６ｕ，２６ｖ，２６ｗを個別に接続している。そして、各結線用接続線２６ｕ，２６ｖ，２６ｗの途中に、夫々、抵抗素子１８ｕ，１８ｖ，１８ｗを設け、これらの抵抗素子１８ｕ，１８ｖ，１８ｗを結線用接続線２６ｕ，２６ｖ，２６ｗによってスター結線している。しかし、実施例１とは異なり、導体層１６ｕ、１６ｖ、１６ｗも３つの抵抗素子１８ｕ，１８ｖ，１８ｗも結線用接続線２６ｕ，２６ｖ，２６ｗも、筐体アース（モータケース３１）には接続されていない。
【００４０】
この構成によれば、各相線１６ｕ，１６ｖ，１６ｗのサージ電流を各相用コンデンサ１７ｕ，１７ｖ，１７ｗと抵抗素子１８ｕ，１８ｖ，１８ｗにより減衰させて他の導体層１６ｕ，１６ｖ，１６ｗへ逃がすことができるので、導体層１６ｕ，１６ｖ，１６ｗをモータケース３１等に接続した場合に懸念されるコモンモードノイズを低減することが可能である。
【００４１】
＜実施例５〜９＞
次に、本発明を具体化した実施例５〜９を図６〜図１０を参照して説明する。これらの本実施例５〜９は、抵抗の形態を上記実施例１とは異なる構成としたものである。尚、図６〜図１０において、その他の構成については上記実施例１と同じであるため、同じ構成については、同一符号を付し、構造、作用及び効果の説明は省略する。また、実施例５〜９の抵抗の形態は、実施例２〜４にも適用することができる。
【００４２】
図６に示す実施例５では、１つの導体層１６ｕ，１６ｖ，１６ｗに、夫々、実施例１と同一の１つの抵抗素子１８ｕ，１８ｖ，１８ｗと、２つの導電性ゴム体４１（請求項に記載の抵抗）とが接続されている。抵抗素子１８ｕ，１８ｖ，１８ｗは、一対のリード線４０を有してする。導電性ゴム体４１は、ゴム製の母材内に導電性のフィラメントや粒子等を分散して埋設したものである。導電性ゴム体４１の抵抗値は、導体層１６ｕ，１６ｖ，１６ｗ、及び筐体接続線１９（共用接続線２０と結線用分岐線２１ｕ，２１ｖ，２１ｗ）よりも高い値に設定されている。導電性ゴム体４１の外面には、一対の接続孔４２が形成されている。
【００４３】
結線用分岐線２１ｕ，２１ｖ，２１ｗは途中で分断されており、分断した結線用分岐線２１ｕ，２１ｖ，２１ｗの端部に、夫々、導電性ゴム体４１の一方の接続孔４２が導通可能に嵌合されている。そして、２つの導電性ゴム体４１の他方の接続孔４２には、抵抗素子１８ｕ，１８ｖ，１８ｗのリード線４０の先端部が導通可能に嵌合されている。
【００４４】
図７に示す実施例６では、分断した結線用分岐線２１ｕ，２１ｖ，２１ｗの端部に、実施例５と同じ導電性ゴム体４１の接続孔４２が導通可能に嵌合されている。これにより、分断した２本の結線用分岐線２１ｕ，２１ｖ，２１ｗの端部同士が抵抗値の高い導電性ゴム体４１を介して接続されている。換言すると、結線用分岐線２１ｕ，２１ｖ，２１ｗの途中に抵抗としての導電性ゴム体４１が設けられている。
【００４５】
図８に示す実施例７では、分断した結線用分岐線２１ｕ，２１ｖ，２１ｗの端部が、互いに平行をなすように屈曲した状態で、箱状の容器４３内に収容されている。そして、容器４３内には、導電性ポッティング剤４４（請求項に記載の抵抗）が充填されている。導電性ポッティング剤４４は、非導電性の溶融樹脂に導電性のフィラメントや粒子等を分散して含浸させたものである。導電性ポッティング剤４４の抵抗値は、導体層１６ｕ，１６ｖ，１６ｗ、及び筐体接続線１９（共用接続線２０と結線用分岐線２１ｕ，２１ｖ，２１ｗ）よりも大きい値に設定されている。分断した結線用分岐線２１ｕ，２１ｖ，２１ｗの端部は、容器４３の内部において抵抗値の高い導電性ポッティング剤４４を介して接続されている。換言すると、結線用分岐線２１ｕ，２１ｖ，２１ｗの途中に抵抗としての導電性ポッティング剤４４が設けられている。
【００４６】
図９に示す実施例８では、分断した結線用分岐線２１ｕ，２１ｖ，２１ｗのうち一方の端部の外周に、導電性塗料４５（請求項に記載の抵抗）が塗布されている。導電性塗料４５は、非導電性塗料に導電性の顔料等を含有させたものである。導電性塗料４５の抵抗値は、導体層１６ｕ，１６ｖ，１６ｗ、及び筐体接続線１９（共用接続線２０と結線用分岐線２１ｕ，２１ｖ，２１ｗ）よりも大きい値に設定されている。
【００４７】
そして、一方の結線用分岐線２１ｕ，２１ｖ，２１ｗの端部に塗布した導電性塗料４５の外周に、他方の結線用分岐線２１ｕ，２１ｖ，２１ｗの端部が重ねられている。そして、導電性塗料４５を介して並ぶように配された結線用分岐線２１ｕ，２１ｖ，２１ｗの端部同士は、一括して粘着性テープ４６を巻き付けることによって固定されている。これにより、分断した結線用分岐線２１ｕ，２１ｖ，２１ｗの端部同士が、抵抗値の高い導電性塗料４５を介して接続されている。換言すると、結線用分岐線２１ｕ，２１ｖ，２１ｗの途中に抵抗としての導電性塗料４５が設けられている。
【００４８】
図１０に示す実施例９では、分断した結線用分岐線２１ｕ，２１ｖ，２１ｗのうち一方の端部の外周に、導電性粘着テープ４７（請求項に記載の抵抗）の一部が巻き付けられている。導電性粘着テープ４７は、可撓性を有する基材の片面に粘着層を形成したものであり、基材と粘着層のうち少なくとも粘着層が、導電性を有している。導電性粘着テープ４７の抵抗値は、導体層１６ｕ，１６ｖ，１６ｗ、及び筐体接続線１９（共用接続線２０と結線用分岐線２１ｕ，２１ｖ，２１ｗ）よりも大きい値に設定されている。
【００４９】
一方の結線用分岐線２１ｕ，２１ｖ，２１ｗの端部に巻き付けた導電性粘着テープ４７の外周には、他方の結線用分岐線２１ｕ，２１ｖ，２１ｗの端部が重ねられている。そして、導電性粘着テープ４７のうち未だ巻き付けられていない残部が、他方の結線用分岐線２１ｕ，２１ｖ，２１ｗの端部と、一方の結線用分岐線２１ｕ，２１ｖ，２１ｗの端部に巻き付けられている導電性粘着テープ４７の外周とに亘り、一括して巻き付けられている。この導電性粘着テープ４７の残部を巻き付けることにより、分断された結線用分岐線２１ｕ，２１ｖ，２１ｗの端部同士が、抵抗値の高い導電性粘着テープ４７を介して接続された状態で固定されている。換言すると、結線用分岐線２１ｕ，２１ｖ，２１ｗの途中に抵抗としての導電性粘着テープ４７が設けられている。
【００５０】
＜他の実施例＞
本発明は上記記述及び図面によって説明した実施例に限定されるものではなく、例えば次のような実施例も本発明の技術的範囲に含まれる。
（１）上記実施例１〜４では、抵抗がシールド層の内部に収容されているが、抵抗は、シールド層の外部に配置してもよい。
（２）上記実施例１〜４では、複数本の導電路本体をシールド層により一括して包囲したが、このようなシールド層を設けない形態であってもよい。
（３）上記実施例１〜４では、三相交流回路を構成する３本の導電路本体がスター結線されているが、本発明は、三相交流回路を構成する３本の導電路本体がデルタ結線されている場合にも適用できる。
（４）上記実施例１〜４では、３本の導電路本体が三相交流回路を構成するものであったが、本発明は、導電路本体が三相交流回路を構成しないものである場合にも適用できる。
（５）上記実施例１〜４では、導電路本体を３本としたが、本発明は、導電路本体の本数が１本、２本、又は４本以上である場合にも適用できる。
（６）上記実施例１〜４では、導電路本体が可撓性を有する円形断面の撚り線であるが、導電路本体は、容易に変形しないバスバーや、複数本の電線を並行配置したフラットケーブル等であってもよい。
（７）上記実施例１〜４では、絶縁層が、導電路本体の外周と一体化されて被覆電線を構成するものであるが、絶縁層は、導体層の内周と一体化されたものでもよく、導電路本体の外周と導体層の内周との間に配されて相対変位可能としたものであってもよい。
（８）上記実施例１〜４では、ノイズフィルタ付き導電路本体が、モータとインバータ装置との間に配索されるものであったが、本発明は、モータやインバータ装置以外の機器に接続される場合にも適用できる。
（９）上記実施例１、３では、筐体接続線をモータケースに接続したが、筐体接続線は、モータケースではなく、車両ボディに、直接、接続してもよい。
（１０）上記実施例１〜４では、導体層が導電路本体に対し全周に亘って包囲するように対応しているが、導体層は、導電路本体に対し周方向における一部の領域のみと対応する形態であってもよい。
（１１）上記実施例１，２、４では、抵抗をモータ側のみに配置し、その抵抗をモータケースのみに接続したが、モータ側の抵抗の他に、インバータ装置側にも抵抗を設け、そのインバータ装置側に設けた抵抗をインバータケースに接続してもよい。
（１２）上記実施例１〜４では、各導体層を金属製の筒状としたが、導体層は、シート状又はテープ状の金属箔、編組線、金属製のバスバー、金属製の撚り線、金属製の単芯線、芯材の表面にメッキ処理したもの、導電性樹脂、導電性ゴム等であってもよい。
（１３）上記実施例１〜４では、導体層の直接的な接続対象を抵抗のみとしたが、これに限らず、導体層に、インダクタ等のように単独でノイズフィルタ機能を発揮する部品や、導体層や抵抗と協動してノイズフィルタ機能を発揮する部品等を、抵抗と並列に接続してもよい。
（１４）上記実施例１では、抵抗の両端を結線用分岐線に直列に接続したが、抵抗と結線用分岐線との接続形態としては、抵抗の一方の端部を結線用分岐線の端末に接続し、抵抗の他方の端部を導体層に直接接続してもよい。また、この接続形態は、実施例２〜４にも適用できる。
【符号の説明】
【００５１】
Ａ、Ｂ，Ｃ，Ｄ…ノイズフィルタ付き導電路
１０…三相交流回路
１１ｕ…Ｕ相線（第１の導電路本体）
１１ｖ…Ｖ相線（第２の導電路本体）
１１ｗ…Ｗ相線（第３の導電路本体）
１２ｕ…Ｕ相用絶縁被覆（絶縁層）
１２ｖ…Ｖ相用絶縁被覆（絶縁層）
１２ｗ…Ｗ相用絶縁被覆（絶縁層）
１６ｕ…Ｕ相用導体層（第１の導体層）
１６ｖ…Ｖ相用導体層（第２の導体層）
１６ｗ…Ｗ相用導体層（第３の導体層）
１７ｕ…Ｕ相用コンデンサ（コンデンサ）
１７ｖ…Ｖ相用コンデンサ（コンデンサ）
１７ｗ…Ｗ相用コンデンサ（コンデンサ）
１８ｕ…抵抗素子（抵抗）
１８ｖ…抵抗素子（抵抗）
１８ｗ…抵抗素子（抵抗）
１８ｕｖ…抵抗素子（抵抗）
１８ｖｗ…抵抗素子（抵抗）
１８ｗｕ…抵抗素子（抵抗）
２２…シールド層
２３…シールド空間
４１…導電性ゴム体（抵抗）
４４…導電性ポッティング剤（抵抗）
４５…導電性塗料（抵抗）
４７…導電性粘着テープ（抵抗）
【図１】
2017069601.tif 000003
【図２】
2017069601.tif 000004
【図３】
2017069601.tif 000005
【図４】
2017069601.tif 000006
【図５】
2017069601.tif 000007
【図６】
2017069601.tif 000008
【図７】
2017069601.tif 000009
【図８】
2017069601.tif 000010
【図９】
2017069601.tif 000011
【図１０】
2017069601.tif 000012